【手続補正書】
【提出日】平成18年7月31日(2006.7.31)
【手続補正１】
【補正対象書類名】特許請求の範囲
【補正対象項目名】全文
【補正方法】変更
【補正の内容】
【特許請求の範囲】
【請求項１】
ガスタービンエンジンの燃焼器（１０）をマッピングする方法であって、
前記ガスタービンエンジンにおいて第１バーナ・モードに調節されるべき第１バーナドーム（１２、１４又は１６）を決定し、
前記ガスタービンエンジンの第１バーナドーム（１２、１４又は１６）におけるリング火炎温度を調節して、前記第１バーナドーム（１２、１４又は１６）の最高リング火炎温度境界（６６）を求め、
前記最高リング火炎温度境界（６６）において作動する前記ガスタービンエンジンに結合された複数のセンサ（８４−９２）からの複数のパラメータをメモリ（８２）に記録し、
前記ガスタービンエンジンの第１バーナドーム（１２、１４又は１６）における前記リング火炎温度を調節して、前記第１バーナドーム（１２、１４又は１６）の最低リング火炎温度境界（６８）を求め、
前記最低リング火炎温度境界（６８）において作動する前記ガスタービンエンジンに結合された前記複数のセンサ（８４−９２）からの複数のパラメータをメモリ（８２）に記録し、
前記最高リング火炎温度境界（６６）における最高リング火炎温度から前記最低リング火炎温度境界（６８）における最低リング火炎温度を引いて、温度ウィンドウの大きさを求め、
前記温度ウィンドウの大きさが予め定められた最小ウィンドウの大きさより大きいときに、前記最低及び最高リング火炎温度から公称リング火炎温度を算出し、
前記第１バーナドーム（１２、１４又は１６）の前記リング火炎温度を、前記公称リング火炎温度に調節し、
前記公称リング火炎温度において作動する前記ガスタービンエンジンに結合された前記複数のセンサ（８４−９２）からの複数のパラメータを、メモリに記録する、
ことを含む方法。
【請求項２】
前記調節されるべき第１バーナドーム（１２、１４又は１６）の前記決定の前に、前記ガスタービンエンジンに結合された前記複数のセンサ（８４）からの読取値が予め定められた作動限界内に入るまで、前記ガスタービンエンジンからの燃焼器バルク火炎温度を調節することを更に含む請求項１に記載の方法。
【請求項３】
前記複数のセンサ（８４−９２）からの前記読取値がＮＯｘエミッションレベルを含み、
前記燃焼器バルク火炎温度の前記調節は、前記ＮＯｘエミッションレベルがＮＯｘエミッションレベルの予め定められた下限より低い場合に、前記ガスタービンエンジンの燃焼器バルク火炎温度を上昇させることを含む請求項２に記載の方法。
【請求項４】
前記複数のセンサ（８４−９２）からの前記読取値がＣＯエミッションレベルを含み、
前記燃焼器バルク火炎温度の前記調節は、前記ＣＯエミッションレベルがＣＯエミッションレベルの上限より高い場合に、前記ガスタービンエンジンの燃焼器バルク火炎温度を上昇させることを含む請求項２に記載の方法。
【請求項５】
ガスタービンエンジンの燃焼器をマッピングするために機械可読のコンピュータ・プログラムコードで符号化された記憶媒体（８２）であって、前記記憶媒体（８２）が、
前記ガスタービンエンジンにおいて第１バーナ・モードに調節されるべき第１バーナドーム（１２、１４又は１６）を決定し、
前記ガスタービンエンジンの第１バーナドーム（１２、１４又は１６）におけるリング火炎温度を調節して、前記第１バーナドーム（１２、１４又は１６）の最高リング火炎温度境界（６６）を求め、
前記最高リング火炎温度境界（６６）において作動する前記ガスタービンエンジンに結合された複数のセンサ（８４−９２）からの複数のパラメータをメモリに記録し、
前記ガスタービンエンジンの第１バーナドーム（１２、１４又は１６）における前記リング火炎温度を調節して、前記第１バーナドーム（１２、１４又は１６）の最低リング火炎温度境界（６８）を求め、
前記最低リング火炎温度境界（６８）において作動する前記ガスタービンエンジンに結合された前記複数のセンサ（８４−９２）からの複数のパラメータをメモリに記録し、
前記最高リング火炎温度境界（６６）における最高リング火炎温度から前記最低リング火炎温度境界（６８）における最低リング火炎温度を引いて、温度ウィンドウの大きさを求め、
前記温度ウィンドウの大きさが予め定められた最小ウィンドウの大きさより大きいときに、前記最低及び最高リング火炎温度から公称リング火炎温度を算出し、
前記第１バーナドーム（１２、１４又は１６）の前記リング火炎温度を、前記公称リング火炎温度に調節し、
前記公称リング火炎温度において作動する前記ガスタービンエンジンに結合された前記複数のセンサ（８４−９２）からの複数のパラメータを、メモリに記録する、
ことを含む方法をコンピュータに実行させるための命令を含む記憶媒体（８２）
【請求項６】
前記調節されるべき第１バーナドーム（１２、１４又は１６）の前記決定の前に、前記ガスタービンエンジンに結合された前記複数のセンサ（８４−９２）からの読取値が予め定められた作動限界内に入るまで、前記ガスタービンエンジンからの燃焼器バルク火炎温度を調節することをコンピュータに実行させるための命令を更に含む請求項５に記載の記憶媒体（８２）。
【請求項７】
前記複数のセンサ（８４−９２）からの前記読取値がＮＯｘエミッションレベルを含み、
前記燃焼器バルク火炎温度の前記調節は、前記ＮＯｘエミッションレベルがＮＯｘエミッションレベルの予め定められた下限より低い場合に、前記ガスタービンエンジンの燃焼器バルク火炎温度を上昇させることを含む請求項６に記載の記憶媒体（８２）。
【請求項８】
ガスタービンエンジンの燃焼器（１０）をマッピングするためのシステムであって、
前記燃焼器（１０）に作動的に結合された複数のセンサ（８４−９２）と、
前記燃焼器（１０）の複数のドーム（１２、１４、１６）における燃焼を制御するために前記燃焼器（１０）に作動的に結合されたコントローラ（１１）と、
前記コントローラ（１１）に作動的に結合され、前記複数のドーム（１２、１４、１６）における燃焼を制御する際に前記コントローラ（１１）が用いるデータを含むメモリデバイス（８２）と、
前記複数のセンサ（８４−９２）と前記メモリデバイス（８２）とに作動的に結合されたマッピング装置（１３）と、
を備え、
前記マッピング装置（１３）が、
前記複数のバーナドーム（１２、１４又は１６）の中の第１バーナ・モードとして調節されるべき第１バーナドーム（１２、１４又は１６）の最高リング火炎温度境界（６６）を求め、
前記最高リング火炎温度境界（６６）において作動する前記ガスタービンエンジンに結合された前記複数のセンサ（８４−９２）からの複数のパラメータを、前記メモリデバイス（８２）に記録し、
前記第１バーナドーム（１２、１４又は１６）の最低リング火炎温度境界（６８）を求め、
前記最低リング火炎温度境界（６８）において作動する前記ガスタービンエンジンに結合された複数のセンサ（８４−９２）からの複数のパラメータを、前記メモリデバイス（８２）に記録し、
前記最高リング火炎温度境界（６６）におけるリング火炎温度から前記最低リング火炎温度境界（６８）におけるリング火炎温度を引いて、温度ウィンドウの大きさを求め、
前記温度ウィンドウの大きさが予め定められた最小ウィンドウの大きさより大きいときに、前記最低及び最高リング火炎温度から公称リング火炎温度を算出し、
前記公称リング火炎温度において作動する前記ガスタービンエンジンに結合された前記複数のセンサ（８４−９２）からの複数のパラメータを、前記メモリデバイス（８２）に記録するように構成されているシステム。
【請求項９】
前記マッピング装置（１３）が、前記コントローラ（１１）に、前記ガスタービンエンジンに結合された前記複数のセンサ（８４−９２）からの読取値が予め定められた作動限界内に入るまで、前記ガスタービンエンジンからの燃焼器バルク火炎温度を調節させることを特徴とする請求項８に記載のシステム。
【請求項１０】
前記複数のセンサ（８４−９２）からの前記読取値がＮＯｘエミッションレベルを含み、前記マッピング装置（１３）が、前記コントローラ（１１）に、前記ＮＯｘエミッションレベルがＮＯｘエミッションレベルの予め定められた下限より低いときに、前記燃焼器内の燃焼器バルク火炎温度を上昇させることを特徴とする請求項９に記載のシステム。
【手続補正２】
【補正対象書類名】明細書
【補正対象項目名】０００３
【補正方法】変更
【補正の内容】
【０００３】
燃焼器のマッピングは、個々のガスタービンエンジンについての作動限界を計測し、このデータを該エンジンのコントローラが使用するために制御スケジュールに変換するプロセスである。最高／最低作動境界及びリング火炎温度制御におけるエンジン間（又は、より正確には、システム間）の変動性が、許容作動ウィンドウよりも大きい場合があることから、このプロセスは各エンジンに対して必要とされる。各エンジンは、現地での作動開始の際にマッピングされて、この変動性を計測し補正することが必要である。時間の経過に伴う境界のドリフト又はシフト、或いは大幅な保守（例えば、燃焼器の取り替え）に起因して、エンジンの耐用寿命の間に、マッピングの追加とこれに伴う制御システムの調節が幾度か必要とされる。
【特許文献１】米国特許５３０３５４２号明細書
【特許文献２】欧州特許０５２９９００Ｂ２号明細書
【特許文献３】欧州特許出願公開第１０６７３３８Ａ２号明細書
【特許文献４】欧州特許出願公開第１３３１４４８Ａ２号明細書